(57)【特許請求の範囲】
【請求項１】
複数の温水器が並列に連結されたマルチ温水器の並列運転の制御方法において、
マルチ温水器に流入される給水の温度を測定する段階と、
使用者が設定した設定温度を感知する段階と、
前記設定温度と前記給水の温度との温度差を算出する段階と、
前記算出された温度差に従って、停止中の温水器を稼動させる基準となる稼動基準値及び運転中の温水器を停止させる基準となる停止基準値を、前記設定温度と給水の温度との間の温度差に対応して予め設定しておいた稼動基準値及び停止基準値に変化させる段階と、
現在稼動中の温水器の容量に対し、前記変化された稼動基準値及び停止基準値に基づいて比較して、各温水器が有する容量の所定比である稼動基準値以上で温水器が稼動されている場合、停止中の温水器を稼動させ、各温水器が有する所定比である停止基準値以下で温水器が稼動されている場合、運転中の温水器を停止させるマルチ温水器の並列運転の制御を行う段階と、
を含むことを特徴とするマルチ温水器の並列運転の制御方法。
【請求項２】
前記算出された温度差に比例して前記稼動基準値及び停止基準値を線形変化させることを特徴とする請求項１に記載のマルチ温水器の並列運転の制御方法。
【請求項３】
前記稼動基準値は、１台の停止中である温水器を稼動させる基準値となる第１の稼動基準値と、２台の停止中である温水器を同時に稼動させるための基準値となる第２の稼動基準値とを含み、
前記第１の稼動基準値の前記温度差に対する勾配は、前記第２の稼動基準値の前記温度差に対する勾配よりも大きいことを特徴とする請求項２に記載のマルチ温水器の並列運転の制御方法。
【発明の詳細な説明】
【技術分野】
【０００１】
本発明は、マルチ温水器の並列運転の制御方法に関し、より詳細には、設定温度と給水温度との温度差を利用してマルチ温水器の運転効率を向上させることができるマルチ温水器の並列運転の制御方法に関する。
【背景技術】
【０００２】
一般的に、マルチ温水器は、複数の家庭用小型温水器を並列に連結することで大型温水器の容量を得るようにしたものであり、大型温水器とは異なり、別途に温水器を管理する人が必要でなく、誰にでも管理できるという長所がある。また、マルチ温水器は、家庭用小型温水器を用いるので、狭い空間に設置することができ、維持補修及び管理が容易であるという長所もある。さらに、マルチ温水器は、使用者が設定した温度に変化するための必要な熱量に応じ、複数の温水器を順次に稼動させるので、省エネルギーの観点からも優れている。
【０００３】
このように、使用者が設定した温度に従って変化する必要な熱量に応じ、複数の温水器を順次に運転させることを並列運転という。
【０００４】
従来、並列運転によるマルチ温水器の制御方法は、各温水器が有する容量の所定比（以下、「稼動基準値」と略称する。）以上で各温水器が稼動されている場合、停止中の温水器を追加稼動させ、各温水器が有する容量の所定比（以下、「停止基準値」と略称する。）以下で各温水器が稼動されている場合、運転中の温水器を追加停止させる。
【０００５】
しかし、このように停止中の温水器を稼動させ、又は、稼動中の温水器を停止させるのに、稼動基準値及び停止基準値が固定されている場合、使用環境及び使用条件によっては運転が非効率的に行われることもあり得る。
【０００６】
例えば、温水器の容量が４８，０００kcal/hで、稼動基準値が温水器の容量の８０％で、夏季のように設定温度と給水温度との温度差が１３℃（設定温度が４３℃で、給水温度が３０℃である）程度の場合、停止中の温水器を追加稼動させるためには、以下の数式のように、１分当たり４９．２リットル以上の流量を使われなければならない。
【０００７】
【数１】
0005416284.tif 000002
しかし、１分当たり４９リットル程度の流量が一つの温水器内部を通して流れるのは現実的に難しい。従って、設定温度と給水温度との温度差が１３℃で、稼動基準値が温水器の容量の８０％以上である場合、マルチ温水器の並列運転の制御において停止中の温水器を追加稼動しなければならないにも関わらず、温水器が追加稼動されないことで、マルチ温水器の運転が非効率的になってしまう問題点が生じる。
【発明の概要】
【発明が解決しようとする課題】
【０００８】
本発明は、上記のような問題点を解決するために工夫したものであり、マルチ温水器の並列運転の制御において、マルチ温水器の使用環境及び使用条件に応じて効率的な運転が行われるようにしたマルチ温水器の並列運転の制御方法を提供することを課題とする。
【課題を解決するための手段】
【０００９】
上記課題を解決するための本発明の一実施例による複数の温水器が並列に連結されたマルチ温水器の並列運転の制御方法は、マルチ温水器に流入される給水の温度を測定する段階と、使用者が設定した設定温度を感知する段階と、前記設定温度と前記給水の温度との温度差を算出する段階と、前記算出された温度差に従って、停止中の温水器を稼動させる基準となる稼動基準値及び運転中の温水器を停止させる基準となる停止基準値を、前記設定温度と給水の温度との間の温度差に対応して予め設定しておいた稼動基準値及び停止基準値に変化させる段階と、現在稼動中の温水器の容量に対し、前記変化された稼動基準値及び停止基準値に基づいて比較して、各温水器が有する容量の所定比である稼動基準値以上で温水器が稼動されている場合、停止中の温水器を稼動させ、各温水器が有する所定比である停止基準値以下で温水器が稼動されている場合、運転中の温水器を停止させるマルチ温水器の並列運転の制御を行う段階とを含む。
【００１０】
本発明のマルチ温水器の並列運転の制御方法は、前記算出された温度差に従って少なくとも一つの温水器を追加的に稼動させ、又は、追加的に停止させる。
【００１１】
本発明のマルチ温水器の並列運転の制御方法は、前記算出された温度差に比例して前記稼動基準値及び停止基準値を線形変化させる。
【００１２】
本発明のマルチ温水器の並列運転の制御方法は、前記稼動基準値は、１台の停止中である温水器を稼動させる基準値となる第１の稼動基準値と、２台の停止中である温水器を同時に稼動させるための基準値となる第２の稼動基準値とを含み、前記第１の稼動基準値の前記温度差に対する勾配は、前記第２の稼動基準値の前記温度差に対する勾配よりも大きい。
【発明の効果】
【００１３】
本発明の一実施例によるマルチ温水器の並列運転の制御方法によれば、マルチ温水器の使用環境及び使用条件が変化しても、設定温度と給水温度との温度差を利用して稼動基準値及び停止基準値を変えることによりマルチ温水器の並列運転時の効率を向上させることができる。
【図面の簡単な説明】
【００１４】
【図１】図１は、本発明の一実施例によるマルチ温水器の並列運転の制御方法が用いられるマルチ温水器の概略図である。
【図２】図２は、図１に示されたマルチ温水器において、設定温度と給水温度との温度差に対する稼動基準値及び停止基準値の変化を示すグラフである。
【図３】図３は、本発明の一実施例によるマルチ温水器の並列運転の制御方法を示すフローチャートである。
【発明を実施するための形態】
【００１５】
以下、添付された図を参照しながら、本発明の一実施例によるマルチ温水器の並列運転の制御方法について詳細に説明する。
【００１６】
図１は、本発明の一実施例によるマルチ温水器の並列運転の制御方法が用いられるマルチ温水器を示す概略図である。図１に示されたように、マルチ温水器１０に含まれる各々の第１の温水器乃至第nの温水器１０-１〜１０-nは、給水入口２と温水出口４とが共通に連結されている。給水入口２には、第１の温度センサー５が設けられ、給水入口２を通して流入される給水の温度を測定する。温水出口４には、第２の温度センサー３０が設けられ、温水の温度を測定する。一方、使用者が使う温水の流量は、温水出口４側に設けられる流量センサー４０によって測定される。
【００１７】
また、マルチ温水器１０の温水制御部５０は、温度センサー３０から出力値が入力され、設定した温水温度に応じてマルチ温水器１０の第１の温水器乃至第nの温水器１０-１〜１０-nを選択的に予め作動させ、温水タンク２０の温水温度を設定した温度に維持させ、常に一定の温度になるように制御する。
【００１８】
一方、図１に示されたマルチ温水器１０は、使用者が設定した設定温度とマルチ温水器１０に流入される給水の温度との温度差に応じ、停止中の温水器を稼動させる基準となる稼動基準値と、運転中の温水器を停止させる基準となる停止基準値を変化させる。
【００１９】
より具体的には、稼動基準値には、設定温度と給水温度との温度差に従って１台の停止中である温水器を稼動させる基準値となる第１稼動基準値と、２台の停止中である温水器を同時に稼動させる基準値となる第２の稼動基準値とがある。
【００２０】
図２は、図１に示されたマルチ温水器１０の並列運転を制御する際に、設定温度と給水温度との温度差に従って第１、第２の稼動基準値及び停止基準値が変化することを示すグラフである。
【００２１】
本実施例においては、２つの稼動基準値及び一つの停止基準値を設定した場合を示したが、２つ以上の稼動基準値及び２つ以上の停止基準値を設定することもできる。
【００２２】
第１、第２の稼動基準値及び停止基準値は、設定温度と給水温度との温度差に比例して線形変化する。また、第１の稼動基準値の前記温度差に対する勾配は、第２の稼動基準値前記温度差に対する勾配よりも大きく設定されている。
【００２３】
以下、図１に示されたマルチ温水器１０の並列運転を制御する三つの方法について詳細に説明する。
【００２４】
一つ目は、設定温度と給水温度との温度差に従って１台の停止中である温水器を稼動させる場合である。この際、図２に示されたグラフにおいて、設定温度と給水温度との温度差に従って１台の停止中である温水器を稼動させる第１の稼動基準値は、「線Ａ」に従って線形変化する。
【００２５】
次の表１は、設定温度と給水温度との温度差が１５℃から４５℃に変化する際、いくつかの箇所における第１の稼動基準値を示す。
【００２６】
【表１】
0005416284.tif 000003
二つ目は、設定温度と給水温度との温度差に従って２台の停止中である温水器を同時に稼動させる場合である。この際、図２に示されたグラフにおいて、設定温度と給水温度との温度差に従って２台の停止中である温水器を同時に稼動させる第２の稼動基準値は、「線Ｂ」に従って線形変化する。
【００２７】
次の表２は、設定温度と給水温度との温度差が１５℃から４５℃に変化する際、いくつかの箇所における第２の稼動基準値を示す。
【００２８】
【表２】
0005416284.tif 000004
三つ目は、設定温度と給水温度との温度差に従って１台の運転中である温水器を停止させる場合である。この際、図２に示されたグラフにおいて、設定温度と給水温度との温度差に従って1台の運転中である温水器を停止させる停止基準値は、「線Ｃ」に従って線形変化する。
【００２９】
【表３】
0005416284.tif 000005
次に、図３を参照し、本発明の一実施例によるマルチ温水器の並列運転の制御方法について詳細に説明する。
【００３０】
マルチ温水器１０に電源が印加され、動作されると、第１の温度センサー５は、給水入口２において給水の温度を測定する（Ｓ１００）。このように第１の温度センサー５によって測定された給水の温度値は、温水制御部５０に送られる。
【００３１】
次に、使用者が温水温度設定部６０を利用して温水温度を設定すれば、設定温度が温水制御部５０に送られ、温水制御部５０は設定温度を感知する（Ｓ２００）。
【００３２】
次に、温水制御部５０は、温水温度設定部６０から送られた設定温度と、第１の温度センサー５から送られた給水温度との温度差を算出する（Ｓ３００）。
【００３３】
次に、算出された温度差に従って停止中である温水器を稼動させるための稼動基準値及び運転中である温水器を停止させるための停止基準値を変化させる（Ｓ４００）。
【００３４】
温水制御部５０は、変更された稼動基準値及び停止基準値に基づいてマルチ温水器の並列運転の制御を行う（Ｓ５００）。この際、設定温度と給水温度との温度差に従って２台以上の停止中である温水器を同時に稼動させることもできる。
【００３５】
このように、設定温度と給水温度との温度差に従って稼動基準値及び停止基準値を変化することにより、使用環境及び使用条件が変化しても、マルチ温水器を効率的に運転させることができる。
【符号の説明】
【００３６】
２      給水入口
４      温水出口
５      第１の温度センサー
１０    マルチ温水器
３０    第２の温度センサー
４０    流量センサー
５０    温水制御部
６０    温水温度設定部
【図１】
0005416284.tif 000006
【図２】
0005416284.tif 000007
【図３】
0005416284.tif 000008